(57)【要約】【課題】複数のディスクを格納するディスク格納容器、ＯＤＤを有するディスク記録再生部、及び双方の間でディスクを搬送するディスク搬送部を有するアーカイブ装置において、内蔵するドライブベイがＯＤＤを固定するための固定強度を強化する。【解決手段】ディスク搬送部とＯＤＤでディスクを授受する方向に対して、平行する方向のＯＤＤの面を固定する保持部材を備え、その一部にディスク格納容器とＯＤＤの相対的な位置を検出するための検出部材を一体で備える。各面の保持部材は個別の部品でも良く、一体化して形成されても良い。これにより、ＯＤＤの固定が強化されて、ディスク格納容器との相対的な位置が精度良く検出され、ディスクの授受ができない問題とディスク面を損傷する問題を解消する。【選択図】図６Ａ
2013257928.tif 000002
【特許請求の範囲】
【請求項１】
記録媒体である複数のディスクを格納するディスク格納容器と、前記ディスクに対して情報データを書込み読出すＯＤＤと、前記ディスク格納容器と前記ＯＤＤとの間を移動しつつ前記ディスクを搬送して授受するディスク搬送部とを有するアーカイブ装置であって、
前記ディスク格納容器に対して前記ディスクの記録面を所定の方向に向けて授受し、前記ＯＤＤに対して前記ディスクの記録面を所定の方向に向けて授受する前記ディスク搬送部と、
前記ＯＤＤの周囲の６つの面を保持する保持部材
を有することを特徴とするアーカイブ装置。
【請求項２】
請求項１に記載のアーカイブ装置において、前記保持部材は前記ＯＤＤの６つの面に各々個別に設けられ、互いに固定部材で固定されて前記ＯＤＤを保持することを特徴とするアーカイブ装置。
【請求項３】
請求項１に記載のアーカイブ装置において、前記保持部材は前記ＯＤＤの６つの面のうち所定数の面に対しては一体化して設けられ、前記ＯＤＤを保持することを特徴とするアーカイブ装置。
【請求項４】
請求項１に記載のアーカイブ装置において、前記ＯＤＤの６つの面のうち、前記ディスクが前記ＯＤＤに授受される際の前記ディスクの記録面と直交する面を保持する前記保持部材は、前記ディスク搬送部が前記ディスク格納容器との間を移動する際の移動方向に平行する方向に、前記ディスク搬送部と前記ＯＤＤとの相対的な位置を検出するための位置検出部を一体で有することを特徴とするアーカイブ装置。
【請求項５】
請求項４に記載のアーカイブ装置において、前記位置検出部は前記ディスク搬送部と前記ＯＤＤとの相対的な位置を検出するための検出孔を有し、当該検出孔は、おおよその前記位置を検出するためのサイズとピッチの大きい第１の検出孔群と、狭い範囲で位置を検出するためのサイズとピッチの小さい第２の検出孔群を有することを特徴とするアーカイブ装置。
【請求項６】
請求項１に記載のアーカイブ装置において、当該アーカイブ装置が高さ方向を所定の方向に設置された場合には、
前記ディスク搬送部は、前記ディスク格納容器に対して前記ディスクの記録面を前記アーカイブ装置の高さ方向に平行させて授受し、前記ＯＤＤに対して前記ディスクの記録面を前記アーカイブ装置の高さ方向に平行させて授受し、かつ、前記ディスク格納容器と前記ＯＤＤとの間を移動する方向は前記アーカイブ装置の奥行方向に平行しており、
前記ＯＤＤは、前記ディスク搬送部に対して前記ディスクを授受するためのスロットを前記アーカイブ装置の高さ方向に平行して有することを特徴とするアーカイブ装置。
【発明の詳細な説明】
【技術分野】
【０００１】
本発明はアーカイブ装置に係り、特に内蔵する光ディスクドライブ（以下、ＯＤＤ；Ｏｐｔｉｃａｌ  Ｄｉｓｋ  Ｄｒｉｖｅ）を固定するドライブベイの固定強度を強化したアーカイブ装置に関するものである。
【背景技術】
【０００２】
情報データを記録再生するための装置として、着脱が可能な記録媒体である光ディスクを用いたストレージ装置が広く使われている。
光ディスクの記録容量は、最近のブルーレイディスクの普及と記録層の多層化により増加している。しかし、金融業界をはじめ多くの業界においては、大量のデータを長期にわたって保存する必要があるので、いっそうの記録容量の増加が望まれている。このため、データの長期保存に適した大容量のストレージ装置として、光ディスクを用いたアーカイブ装置が開発されている。
【０００３】
アーカイブ装置は、複数の光ディスクを収容可能な収納部とＯＤＤを備える。当該ＯＤＤは、前記光ディスクに対し情報データを書込み、また読出しを行う。さらに、前記アーカイブ装置は、前記収納部に収納された光ディスクのいずれかを選択して前記ＯＤＤに対し装着し、また取外して前記収納部に収納するための搬送機構を有している。
特許文献１には、以上述べたアーカイブ装置の一例が開示され、特にその冷却方法が開示されている。
【先行技術文献】
【特許文献】
【０００４】
【特許文献１】特願２０１１−２６３５３７号
【発明の概要】
【発明が解決しようとする課題】
【０００５】
アーカイブ装置においては、前記収納部に収納された光ディスクを、前記搬送機構が内部に取込んで搬送し前記ＯＤＤに装着するに際しては、次の事項が重要である。一つは、ＯＤＤが衝撃や振動を受けた場合にも移動することなく所定の方向に固定されていること、さらには、ＯＤＤの位置、特にＯＤＤにおける光ディスクを挿入するスロットと搬送部の相対的な位置を正しく検出できることである。ＯＤＤが衝撃や振動により傾き、スロットが挿入される光ディスクに対して平行でない場合、或いは、スロットと搬送部の相対的な位置を正しく検出できない場合には、光ディスクをスロットに挿入することができず、仮に挿入できたとしても光ディスクの記録面を傷つける恐れがある。
【０００６】
しかしながら従来のアーカイブ装置においては、ＯＤＤを固定するためのドライブベイの固定強度が充分でないために、ＯＤＤが衝撃や振動を受けた際に、前記したような望ましくない状況がおこる問題があった。当然ながら同様な問題は、光ディスクを収納部に戻すためにＯＤＤから取外す際にも発生する。
本発明の目的は前記した問題に鑑み、内蔵するドライブベイがＯＤＤを固定するための固定強度を強化したアーカイブ装置を提供することにある。
【課題を解決するための手段】
【０００７】
前記課題を解決するため本発明は、記録媒体である複数のディスクを格納するディスク格納容器と、前記ディスクに対して情報データを書込み読出すＯＤＤと、前記ディスク格納容器と前記ＯＤＤとの間を移動しつつ前記ディスクを搬送して授受するディスク搬送部とを有するアーカイブ装置であって、前記ディスク格納容器に対して前記ディスクの記録面を所定の方向に向けて授受し、前記ＯＤＤに対して前記ディスクの記録面を所定の方向に向けて授受する前記ディスク搬送部と、前記ＯＤＤの周囲の６つの面を保持する保持部材を有することを特徴としている。
【０００８】
また本発明は、前記アーカイブ装置において、前記ＯＤＤの６つの面のうち、前記ディスクが前記ＯＤＤに授受される際の前記ディスクの記録面と直交する面を保持する前記保持部材は、前記ディスク搬送部が前記ディスク格納容器との間を移動する際の移動方向に平行する方向に、前記ディスク搬送部と前記ＯＤＤとの相対的な位置を検出するための位置検出部を一体で有することを特徴としている。
【発明の効果】
【０００９】
本発明によれば、内蔵するドライブベイがＯＤＤを固定するための固定強度を強化したアーカイブ装置を提供でき、アーカイブ装置の基本性能の向上に寄与できるという効果がある。
【図面の簡単な説明】
【００１０】
【図１】一実施例におけるアーカイブ装置の正面側からの外観図である。
【図２】従来例におけるディスク記録再生部の外観図である。
【図３】従来例におけるディスク記録再生部の分解図である。
【図４】従来例におけるディスク記録再生部の位置検出部の外観図である。
【図５】従来例におけるディスク記録再生部のドライブベイの外観図である。
【図６Ａ】一実施例におけるディスク記録再生部の外観図である。
【図６Ｂ】一実施例におけるディスク記録再生部の平面図である。
【図６Ｃ】一実施例におけるディスク記録再生部の側面図である。
【図７】一実施例におけるディスク記録再生部の分解図である。
【図８Ａ】一実施例におけるディスク記録再生部の位置検出部を有する第１の保持部材の外観図である。
【図８Ｂ】一実施例におけるディスク記録再生部の位置検出部を有する第１の保持部材の平面図と正面図である。
【図９】一実施例におけるディスク記録再生部のドライブベイの外観図である。
【発明を実施するための形態】
【００１１】
以下、本発明の実施例につき図面を用いて説明する。まず、アーカイブ装置の構造と動作の概要を説明する。
周知のとおり、ＯＤＤが使用する記録媒体は、ドライブに対して着脱できる光ディスクである。光ディスクには、例えばＣＤ（Ｃｏｍｐａｃｔ  Ｄｉｓk）、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｋ）がある。また光ディスクには、データの読出しのみができるＲＯＭ型（例えばＣＤ−ＲＯＭ）、一回のみデータの書込みができるＲ型（例えばＢＤ−Ｒ）、データの書換えができるＲＷ、ＲＡＭ、又はＲＥ型（例えばＢＤ−ＲＥ）がある。本実施例においては、これら全ての光ディスクを使用できるアーカイブ装置であっても良く、また一部の光ディスクを使用するアーカイブ装置であっても良い。
以下の説明では、光ディスクを単にディスクと記載する。
【００１２】
図１は、一実施例におけるアーカイブ装置１の正面側の外観図である。ここでは、アーカイブ装置１の一部の外装を除去し、正面パネル１６の斜め上側から見た状態を示している。図２以降に示す図面との対応関係を明確にするため、図１の右下には三次元軸を示している。正面パネル１６を正面側から見て、左側から右側に向けＸ軸、下側から上側に向けＹ軸を定める。また、背面パネル１７から正面パネル１６に向けＺ軸を定める。
アーカイブ装置１に対して着脱できるディスク格納容器１５は、前記したディスクの収納部に相当する。ここでは、ディスク格納容器１５に対する符号を、内部の仕切り板に対して付している。ディスク格納容器１５の底面側に設けられたディスクスロット１５１には、図示しないディスク１５２を複数（例えば数百枚程度）搭載することができる。即ち、ディスク格納容器１５は、数百個のディスクスロット１５１を有する。図１では一例として、複数のディスク１５２が互いにレーベル面と記録面を対向させながら、略垂直に立てて搭載される場合を示している。なお、ディスク１５２は片面記録ディスクに限らず、両面記録ディスクであっても良い。
【００１３】
ここでは、後記するディスク搬送部の移動部１３を挟みＺ軸に沿って、２個のディスク格納容器１５が使用される例を示している。これは一例であって、例えば１個であっても良い。また２個の場合では、いずれか一方のみを取付けた状態であっても、アーカイブ装置１は目的とした動作を行うことができる。
ディスク格納容器１５がアーカイブ装置１に取付けられると、そのＺ軸上の奥行側の先端はディスク記録再生部１１の近辺に、手前側の先端は正面パネル１６の近辺に位置する。
なお、ディスク格納容器１５のアーカイブ１に対する取付けと取外しの方法は、本実施例の説明には特に必要としないので省略する。
【００１４】
ディスク記録再生部１１は、ディスク格納容器１５と同様に、ディスク搬送部の移動部１３を挟んで左右両側に２個設けられている。ディスク記録再生部１１は記録媒体ドライブとしてＯＤＤを有する。各ディスク記録再生部１１が有するＯＤＤは１個でも良いが、動作速度を高めるためには複数（例えば数個程度）であると良い。ここでは黒く示されたスロットの数から分かるように、各ディスク記録再生部１１が６個のＯＤＤを有する例を示している。各ＯＤＤは周知のとおり、装着されたディスク１５２をスピンドルモータ（図示せず）で回転させ、光ピックアップを用いてデータを記録し、又は再生する。
【００１５】
ディスク搬送部１２、及びディスク搬送部の移動部１３は、ディスク記録再生部１１とディスク格納容器１５との間でディスク１５２を搬送するための構成要素である。ディスク搬送部の移動部１３は、例えばモータとギア（図示していないが、場所、形状とも特に限定されない）を用い、図示するように正面パネル１６の近傍から背面パネル１７の近傍の間に設けられたガイド部材に沿って、ディスク搬送部１２をＺ軸方向に移動させる。
まず、ディスク１５２をディスク格納容器１５からディスク記録再生部１１へ搬送する場合を述べる。
【００１６】
電気回路の構成要素である制御部１４（図１では示していないが、背面パネル１７の近傍に位置することが多い）からの指示に基づき、ディスク搬送部の移動部１３は前記指示に対応するディスクが格納されたディスク格納容器１５のスリットの位置に、ディスク搬送部１２を移動させる。次いで、ディスク搬送部１２が有する図示しないディスク移動機構が、例えばモータとギア（ディスク搬送部１２が有しても良い）を用いて、前記指示に対応したディスクをディスク格納容器１５からディスク搬送部１２の内部に挿入する。
【００１７】
次いで、前記した制御部１４からの指示に基づき、ディスク搬送部の移動部１３は、ディスク記録再生部１１が有するＯＤＤのうち前記指示に対応するＯＤＤの位置に、ディスク搬送部１２を移動させる。さらに、ディスク搬送部１２の内部の図示しないディスク移動機構が、例えばモータとギアを介して移動されることにより、搬送するディスクをディスク搬送部１２から前記ＯＤＤの内部に移動する。これにより、ディスク記録再生部１１は、新たに搬送されたディスクに対してデータの記録又は再生を行うことができる。
なお、各ＯＤＤに対するディスク搬送部１２の相対的な位置を検出する構成要素については、後に述べる。
【００１８】
次に、ディスク１５２をディスク記録再生部１１からディスク格納容器１５へ搬送する場合を述べる。
制御部１４からの指示に基づき、ディスク搬送部の移動部１３は前記指示に対応するディスクが格納されたディスク記録再生部１１のＯＤＤの位置に、ディスク搬送部１２を移動させる。次いでディスク搬送部１２の内部の図示しないディスク移動機構が、例えばモータとギアを介して移動されることにより、前記指示に対応したディスクを前記ＯＤＤからディスク搬送部１２の内部に挿入する。
【００１９】
次いで前記した制御部１４からの指示に基づき、ディスク搬送部の移動部１３は、ディスク格納容器１５が有するスリット１５１のうち前記指示に対応するスリットの位置に、ディスク搬送部１２を移動させる。さらに、ディスク搬送部１２の内部の図示しないディスク移動機構が、例えばモータとギアを介して移動されることにより、搬送するディスクをディスク搬送部１２からディスク格納容器１５の内部に移動する。これにより、ディスク記録再生部１１での動作を終えたディスクは、ディスク格納容器１５の内部に再び格納される。
【００２０】
以上のように動作することによりアーカイブ装置１は、多数のディスクに対して高速のアクセスを行うことができ、大容量のデータを取扱うユーザに対する使い勝手を向上している。
なお、図１において例えば向かって右側のディスク格納容器１５に収納されたディスクがディスク搬送部１２によりディスク記録再生部１１に搬送された際、左右いずれのディスク記録再生部１１のＯＤＤに装着されるかは任意に設定できる。また、各ディスクに対するディスク格納容器１５における格納位置を任意に設定することもでき、逆に一箇所に固定することもできる。これは、先の制御部１４の指示により決定される。
【００２１】
しかしながら、従来のアーカイブ装置においては、ＯＤＤが衝撃や振動を受けた場合を考慮すると、ディスク記録再生部１１が有するＯＤＤの固定強度が充分でない問題があった。これについて、図２乃至図５を用いて説明する。
図２は、従来例におけるディスク記録再生部１１の外観図であり、ディスク記録再生部１１に対してＺ軸のマイナス方向に位置する前記制御部１４周辺も併せて示している。制御部１４をはじめとする多くの電気回路的な構成要素は、回路基板に搭載され、例えば背面パネル１７の近傍に取付けられている。
ディスク記録再生部１１は、例えばＯＤＤ１１１を６個有しており、各ＯＤＤ１１１はディスク１５２を挿入し排出するためのスロット１１１Ａを有している。
【００２２】
図３は、従来例におけるディスク記録再生部１１の分解図である。図２と比較して左方向に９０度回転させて示している。即ち、ディスク記録再生部１１は、ＯＤＤ１１１のほかに、各ＯＤＤに対するディスク搬送部１２の相対的な位置を検出するための位置検出部１１２、ＯＤＤ１１１を保持するためのドライブベイ１１３を有している。ドライブベイ１１３は、ＯＤＤ１１１を位置決めするためのガイド１１３Ａを有している。
図４は、従来例におけるディスク記録再生部１１の位置検出部１１２の外観図である。先の図２で示したように、位置検出部１１２は、ＯＤＤ１１１のスロット１１１Ａの斜め上方向に位置する。位置検出部１１２は、ディスク搬送部１２がＯＤＤ１１１の近辺にある際に、ディスク搬送部１２が有する光の発生部と検出部の間に位置するように設置されている。当該検出部が前記光の発生部からの光を検出するか否かに基づき、前記制御部１４は、各ＯＤＤに対するディスク搬送部１２の相対的な位置を検出し、ディスク搬送部１２を所定の位置に位置させる。
【００２３】
図５は、従来例におけるディスク記録再生部のドライブベイ１１３の外観図である。ここでは、図２に対してＯＤＤ１１１と位置検出部１１２を除去して示している。
図２乃至図５から分かるように従来は、ＯＤＤ１１１の位置は、下側はドライブベイ１１３のガイド１１３Ａで、上側は位置検出部１１２で決められているだけであり、固定強度が弱い問題があった。特に、振動や衝撃が与えられると各ＯＤＤがＺ軸方向に傾くことがあり、位置検出部１１２とＯＤＤ１１１の相対的な位置がずれ、またＯＤＤ１１１のスロット１１１Ａの方向が、直立して挿入されるディスク１５２に対して斜めに傾くことがあった。これにより、ディスク搬送部１２とＯＤＤ１１１との間でディスク１５２を挿入又は排出する際に、所定の動作ができず、或いはディスク面を損傷する恐れがあった。
【００２４】
前記した問題を解決した実施例につき、図６乃至図９を用いて説明する。
図６Ａは、一実施例におけるディスク記録再生部１１の外観図である。
図６Ｂは、一実施例におけるディスク記録再生部１１の平面図であり、図６Ａの上側からＹ軸のマイナス方向に見下ろした場合を示す。
図６Ｃは、一実施例におけるディスク記録再生部１１の側面図であり、図６Ａのスロット１１１Ａ側からＸ軸のマイナス方向に見た場合を示す。
【００２５】
図６Ａ乃至図６Ｃにおいては、図２で示した従来例に対して、先ず位置検出部１１４Ｅと一体で形成された第１の保持部材１１４が新たに設けられて、ＯＤＤ１１１の上側を固定する点が異なる。また、第２の保持部材１１５が新たに設けられて、ＯＤＤ１１１のＺ軸方向の手前側を固定する点が異なる。図６Ａでは見えない位置となるが、第２の保持部材１１５に類似した第３の保持部材１１６が新たに設けられて、ＯＤＤ１１１のＺ軸方向の奥側、即ち背面パネル１７に近い側を固定する点が異なる。即ち、先のドライブベイ１１３と第１乃至第３の保持部材１１４乃至１１６は、先ずディスク搬送部１２とＯＤＤ１１１との間でディスク１５２を移動する方向（図中の矢印方向）に対して、平行する方向のＯＤＤの面を固定する。
【００２６】
第１の保持部材１１４は第２の保持部材１１５に対して、例えばネジをはじめとする固定部材１１４Ａと１１４Ｂにより固定される。また、第１の保持部材１１４は第３の保持部材１１６に対して、例えばネジをはじめとする固定部材１１４Ｃと１１４Ｄにより固定される。第２の保持部材１１５はドライブベイ１１３に対して、例えばネジをはじめとする固定部材１１５Ａ、１１５Ｂ、１１５Ｃと１１５Ｄにより固定される。また、第３の保持部材１１６はドライブベイ１１３に対して、同様にして固定される。もちろん、各保持部材を固定するための固定部材は４個に限らず、固定強度が保てる限り何個であっても良い。
【００２７】
即ち、ドライブベイ１１３と第１乃至第３の保持部材１１４乃至１１６は、併せて新たなドライブベイとして機能し、ディスク記録再生部１１が有する複数のＯＤＤ１１１を周囲の６つの面から固定する。これにより、アーカイブ装置１に対して振動、衝撃が与えられた場合でも、ＯＤＤが移動して斜めに傾く問題が解消される。これにより、ＯＤＤ１１１とディスク搬送部１２との間でのディスク１５２の受渡しができない問題、或いはディスク面を損傷する問題も解消される。
【００２８】
なお、ドライブベイ１１３と第１乃至第３の保持部材１１４乃至１１６は、互いにネジをはじめとする固定部材で固定される構成に限らず、これらの全て、又はこれらのうちの一部が一体で形成されても良い。
さらに、図６Ａと図６Ｂが示すように本実施例においては、第１の保持部材１１４が位置検出部１１４Ｅと一体で形成されたことに、一つの特徴がある。これにより、位置検出部１１４Ｅの位置精度が高められ、各ＯＤＤ１１１とディスク搬送部１２の相対的な位置関係を精度良く検出できるという効果がある。
【００２９】
図７は、一実施例におけるディスク記録再生部１１の分解図である。図６Ａと比較して左方向に９０度回転させて示している。即ち、ディスク記録再生部１１は、ドライブベイ１１３に対して固定される第１乃至第３の保持部材１１４乃至１１６を有しており、第１乃至第３の保持部材１１４乃至１１６はＯＤＤ１１１に対する固定強度を高めている。なお、ドライブベイ１１３は第１の保持部材１１４と第３の保持部材１１６を固定するため、先に図２で示したドライブベイ１１３とは形状が異なっていても良い。また、第１乃至第３の保持部材１１４乃至１１６を含め、全体を一つのドライブベイと考えても良い。
【００３０】
図８Ａは、一実施例におけるディスク記録再生部１１の位置検出部１１４Ｅを有する第１の保持部材１１４の外観図である。
図８Ｂは、一実施例におけるディスク記録再生部１１の位置検出部１１４Ｅを有する第１の保持部材１１４の平面図と正面図であり、前者は図８Ａの上側からマイナスＹ方向に見下ろし、後者は図８Ａの右手前側からマイナスＸ方向に見た図である。
位置検出部材１１４Ｅは、第１の保持部材１１４の一部として一体で形成されている。これにより、各ＯＤＤ１１１とディスク搬送部１２の相対的な位置関係は精度良く検出される。なお、当該位置関係の検出時間を早め、さらには検出精度を向上するため、サイズとピッチの大きい検出孔群１１４Ｆと、サイズとピッチの小さい検出孔群１１４Ｇを備えた例を示している。前者はおおよその位置を短時間で検出し、その後、後者は狭い範囲で精度良く位置を検出する。
【００３１】
図９は、一実施例におけるディスク記録再生部１１のドライブベイの外観図である。図９は、図６Ａとは異なり、ＯＤＤ１１１と第１の保持部材１１４を除去した場合を示している。図９では、第３の保持部材１１６の形状の一例が示されている。即ち、ディスク記録再生部１１は、ドライブベイ１１３に対して固定される第１乃至第３の保持部材１１４乃至１１６を有しており、第１乃至第３の保持部材１１４乃至１１６はＯＤＤ１１１に対する固定強度を高めている。
ここまで示した実施形態は一例であって、本発明を限定するものではない。本発明の趣旨に基づきながら異なる実施形態を考えられるが、いずれも本発明の範疇にある。
【符号の説明】
【００３２】
１：アーカイブ装置、１１：ディスク記録再生部、１２：ディスク搬送部、１３：ディスク搬送部の移動部、１４：制御部、１５：ディスク格納容器、１６：正面パネル、１７：背面パネル、１１１：ＯＤＤ、１１３：ドライブベイ、１１４：第１の保持部材、１１４Ｅ：位置検出部、１１５：第２の保持部材、１１６：第３の保持部材、１５１：スロット、１５２：ディスク。
【図１】
2013257928.tif 000003
【図２】
2013257928.tif 000004
【図３】
2013257928.tif 000005
【図４】
2013257928.tif 000006
【図５】
2013257928.tif 000007
【図６Ａ】
2013257928.tif 000008
【図６Ｂ】
2013257928.tif 000009
【図６Ｃ】
2013257928.tif 000010
【図７】
2013257928.tif 000011
【図８Ａ】
2013257928.tif 000012
【図８Ｂ】
2013257928.tif 000013
【図９】
2013257928.tif 000014